(57)【要約】【課題】  簡単な構成で、良好な切断力を発揮でき、軽量で作業しやすく、製造コストの低い草木刈り取り具の提供。【解決手段】  草木刈り取り具において、被切断物支持具１２が、刃物１１の刃の部分を含む平面から一定距離を保ち、且つ、前記刃物１１の長手方向と前記被切断物支持具１２の長手方向がほぼ同一となるように構成することにより、刃物１１と被切断物支持具１２の間に被切断物を挿入し、柄３１を軸として当該草木刈り取り具を回転させることで、容易に刃物１１の被切断物に対する圧力が生じるようにする。【選択図】        図３
2005151820.tif 000002
【特許請求の範囲】
【請求項１】
柄の先に刃物を取り付け、刈り取られるべき草木を前記刃物との間に支持する被切断物支持具を備えることを特徴とする草木刈り取り具。
【請求項２】
前記被切断物支持具が、前記刃物から所定距離を離して配置され、且つ、前記刃物の長手方向の長さとほぼ同一の長さとなるように構成されたことを特徴とする請求項１記載の草木刈り取り具。
【請求項３】
前記被切断物支持具が、前記刃物の刃の部分を含む平面に対し、刃元部において低くなるように傾斜して構成されたことを特徴とする請求項１又は請求項２記載の草木刈り取り具。
【請求項４】
前記被切断物支持具の前記刃物に対する取り付け角度が調整可能となるように構成されたことを特徴とする前記請求項の内の１の請求項に記載の草木刈り取り具。
【発明の詳細な説明】
【技術分野】
【０００１】
本発明は、地面に立っている草木や高所にある枝などを刈るのに使用される草木刈り取り具に関し、特に、刃物に対して刈り取るべき草木を効果的に支持或いは把持する草木刈り取り具に関するものである。
【背景技術】
【０００２】
従来、雑草を刈る鎌や、高所にある枝など切るためののこぎりやハサミには多種多様なものが存在し、特開２０００−６０２４８号公報、特開２００１−１２００６２号公報などにより開示されている。
【特許文献１】特開２０００−６０２４８号公報
【特許文献２】特開２００１−１２００６２号公報
【発明の開示】
【発明が解決しようとする課題】
【０００３】
雑草や枝など（以下、被切断物という。）を刈る方法には、鎌やのこぎりのように被切断物の一方向のみから作用して被切断物を切断していくものと、ハサミのように被切断物の２方向から作用して被切断物を切断するものがある。
【０００４】
刃物で物を切断する場合には、押し切りするときはもとより、のこぎりのような引き切りの場合であっても、刃物の被切断物に対する圧力が十分でないと切断力は発揮できない。従って、鎌やのこぎりのように被切断物の一方向からしか力が作用しないものの場合、被切断物が柔軟性を有するものであると、当該被切断物に圧力を加えようとしても、当該被切断物がこの圧力を吸収してしまい、うまく切断できないことがある。例えば、雑草を刈る場合などに、単に鎌のみでこれを刈ろうとしても雑草がたわみ・逃げるため、手などで草を持った上で刈ることになり、作業に両手を必要とする。また、高所にある枝のようにこれを逃げないように保持することが難しい場合には、鎌やのこぎりのように被切断物の一方向からしか力が作用しないものでは、柔軟にたわむ小枝などをうまく切断することができないという問題があった。
【０００５】
ハサミのように被切断物の２方向から作用して被切断物を切断するものの場合、上記したような刃物の被切断物に対する圧力が不足するといった問題は生じない。しかし、高所にある枝の切断をしようとすると、延長可能な柄などの先端にハサミ部分を設ける構成となるが、手元で先端にあるハサミ部分を動作させるための機構が必要であり、鎌やのこぎりに延長棒を取り付けた物に比べ、構造が複雑であり、従って部品点数も多く、それに伴い重量・製造コストも増加し、故障の要因も増加するという問題があった。
【０００６】
本発明は、被切断物支持具を備えるという非常に簡単な構成により、切断作業時の刃物の被切断物に対する圧力を容易に生み出すことができるようにするものであり、軽量で作業しやすく、製造コストの低い草木刈り取り具を提供することを目的とする。
【課題を解決するための手段】
【０００７】
本発明は、柄の先に刃物が取り付けられてなる草木刈り取り具において、被切断物支持具が、前記刃物の刃の部分を含む平面から所定距離を保ち、且つ、前記刃物の長手方向の長さと前記被切断物支持具の長手方向の長さとがほぼ同一となるように構成されたことを特徴とする。
【０００８】
さらに本発明は、前記被切断物支持具が、前記刃物の刃の部分を含む平面に対し、刃元部において低くなるように傾斜して構成し、前記被切断物支持具の前記刃物に対する取り付け角度が調整可能となるように構成されたことを特徴とする。
【発明の効果】
【０００９】
本発明によれば、被切断物支持具を備えるという非常に簡単な構成により、切断作業時の刃物の被切断物に対する圧力を、草木刈り取り具の柄を持ってひねるだけという容易な方法により、生み出すことができ、なお且つ、軽量であるので、片手だけであっても容易に草や枝などの切断作業が行える。
【００１０】
本発明の草木刈り取り具は、被切断物支持具を備えるという非常に簡単な構成であり、かつ当該被切断物支持具が脱着可能であるので、汎用性があり、製造コストが安く、製品の故障も生じにくい。
【発明を実施するための最良の形態】
【００１１】
以下、本発明の具体的実施例について、図面を参照しながら説明する。なお、以下の実施態様は、本発明を具体化する際の一形態であって、本発明をその範囲内に限定するためのものではない。
【００１２】
本発明の構成による草木刈り取り具によれば、刃物と被切断物支持具の間に被切断物を挿入し、前記被切断物支持具の長手方向を軸として当該草木刈り取り具を回転させることにより、容易に刃物の被切断物に対する圧力を生み出すことができる。すなわち、概念としては、二又のフォークの股の間に、フォークの長手方向と直交する方向の棒を入れた状態で、フォークの柄を軸にしてフォークを回転させると、フォークの２本の刃と棒は接触し、その接触部分に圧力が生じるのと同様であり、これを当該草木刈り取り具に当てはめると、フォークの刃の一方が被切断物支持具であり、他方の刃が刃物であり、間に入れる棒が被切断物ということである。これにより、被切断物に刃物をしっかりと押し付けた状態を作ることができ、刃物の切断力が有効に発揮されるので切断作業が容易に行える。
【００１３】
上記のごとく、前記構成による草木刈り取り具によれば、当該草木刈り取り具に回転力を加える（柄を持ってひねる）ことで、容易に刃物の被切断物に対する圧力を生み出すことができる。例えば、草を刈るような場合は、前記回転力により生ずる圧力での押し切りが可能であるし、小枝を切るような場合は、当該草木刈り取り具の柄を持ってひねりつつ引くことで、押し切ると同時に引き切りができる。又、太い枝に対しては、刃物にのこぎり刃を用いて、当該草木刈り取り具の柄を持ってひねりつつ往復運動させることで切断するというようなことも出来る。
【００１４】
前記構成における、被切断物支持具は、上記のごとく、切断作業時の刃物の被切断物に対する圧力を生じさせるために、当該被切断物を支持或いは把持するためのものであり、その目的を達する限り、板状・丸棒・角棒などの形状を問わず、鉄・アルミ・樹脂・ゴムなどの材質も問わない。草木刈り取り具を使用した作業を容易化するためには、軽量であることと、被切断物と接触する部分の形状・材質が当該被切断物支持具の長手方向（刃物を引く方向）に対する摩擦力を小さくするようなものであることが有効である。一例を上げれば、草木刈り取り具の刃の形状が滑らかな円弧状である場合には、当該刃に沿って滑らかに湾曲した、表面が平滑な樹脂製の丸棒等である。
【００１５】
前記被切断物支持具の、草木刈り取り具への取り付け場所は、刃物部分であると、柄部分であるとを問わない。
【００１６】
本発明は、草木刈り取り具において、被切断物支持具が、刃物の刃の部分を含む平面に対し、刃元部において低くなるように傾斜して構成されたことを特徴とする。
【００１７】
被切断物支持具と刃物の刃の部分を含む平面とが一定間隔に保たれている場合には、両者の間隔が一定であるがゆえに、ここに挿入される被切断物の太さに対する自由度は小さい。前記構成である、被切断物支持具が、刃物の刃の部分を含む平面に対し、刃元部において低くなるように傾斜して設けられている草木刈り取り具によれば、被切断物支持具と刃物の間隔が傾斜に従って変化するため、ここに挿入される被切断物の太さに対する自由度が大きくなるのである。
【００１８】
本発明は、草木刈り取り具において、被切断物支持具の角度が調整可能となるように構成されたことを特徴とする。
【００１９】
被切断物支持具の角度を調整可能とする方法は、ねじ止め式やヒンジ式などによる。被切断物支持具の角度を調整可能とすることによって、被切断物支持具と刃物の間隔を被切断物の太さに合わせて調整可能とし、ここに挿入できる被切断物の太さに対する自由度を大きくするものである。
【００２０】
本発明は、草木刈り取り具において、被切断物支持具が着脱可能となるように構成されたことを特徴とする。
【００２１】
被切断物支持具を着脱可能とする方法は、ねじやボルト止め、嵌め込みなどによる。被切断物支持具を着脱可能となるようにすることによって、種類の異なる被切断物支持具を用途に合わせて交換して使用することができる。例えば、被切断物の太さに合わせて、刃物との間隔が異なる被切断物支持具を選択することができるし、被切断物支持具が不要な場合にはこれを取り外し、通常の刃物として使用することも出来る。
【００２２】
本発明は、草木刈り取り具において、着脱可能な前記被切断物支持具が、当該草木刈り取り具の刃の両側において着脱可能となるように構成されたことを特徴とする。
【００２３】
被切断物支持具を草木刈り取り具の刃の両側において着脱可能となるようにすることにより、使用者の使いやすい回転方向を選択することが出来る。すなわち、当該草木刈り取り具の刃の一方の側にしか被切断物支持具を取り付けられないとすると、刃物の被切断物に対する圧力を生み出すために当該草木刈り取り具の柄をひねる方向は一方向のみとなってしまう。使用者によっては、力の入れやすい回転方向があるので、被切断物支持具を草木刈り取り具の刃の両側において着脱可能となるようにすることにより、使用者の使いやすい回転方向を選択することができるようにするものである。
【００２４】
本発明は、草木刈り取り具において、被切断物支持具が当該草木刈り取り具の刃物の刃渡りと同様の長さで構成されたことを特徴とする。
【００２５】
前記構成の草木刈り取り具によれば、刃渡りの全長に渡って有効に刃物の切断力が発揮される。すなわち、被切断物支持具が刃渡りよりも短い場合には、当該草木刈り取り具に回転力を加える（柄を持ってひねる）ことで、容易に刃物の被切断物に対する圧力を生み出すことができる区間は刃渡りよりも短いこととなるが、被切断物支持具が当該草木刈り取り具の刃物の刃渡りと同様の長さであれば、刃の全長に渡って有効に刃物の切断力が発揮されるのである。
【００２６】
本発明は、草木刈り取り具において、被切断物支持具が当該草木刈り取り具の刃物の刃渡りよりも短い長さで構成されたことを特徴とする。
【００２７】
前記構成の草木刈り取り具によれば、密生した植物の特定の枝のみを剪定したい場合などに有効である。すなわち、密生した植物の特定の枝のみを剪定したい場合などには、被切断物支持具が長いと、これが邪魔になり、思い通りの枝を切断することが難しい場合があるため、当該被切断物支持具を短くすることにより、密生した植物の中にある特定の枝のみを剪定し易くするものである。
【００２８】
本発明は、草木刈り取り具において、草木刈り取り具の柄の部分を着脱可能となるように構成されたことを特徴とする。
【００２９】
草木刈り取り具の柄の部分を着脱可能とする方法は、ねじやボルト止め、嵌め込みなどによる。草木刈り取り具の柄の部分を着脱可能となるようにすることによって、手元作業用の短い柄や、高所作業用の伸縮自在の長い柄などを、作業に合わせて交換することが出来る。
【００３０】
本発明は、草木刈り取り具において、刃物部分にのこぎり刃を有し、かつ、当該のこぎり刃が刃元部分では細かい刃であり、刃先部分に行くに従い当該のこぎり刃が大きくなるように構成されていることを特徴とする。
【００３１】
前記構成の草木刈り取り具によれば、切断作業の際の最初の切り始め時には、細かいのこぎり刃が被切断物に当ることになり、切り始めがスムーズになる。すなわち、大きなのこぎり刃は切断力が大きいがその分抵抗も大きく、ひき溝がない切り始め時には刃物が安定せず切り難いことがある。そこで、切り始め時には、細かいのこぎり刃が被切断物に当ることにより、スムーズに切り始められるようにし、細かいのこぎり刃により被切断物にひき溝ができ、安定したところで大きな刃によって一気に切断するものである。
【実施例１】
【００３２】
図１は本発明の実施例である草木刈り取り具の先端部分の平面図であり、図２は当該草木刈り取り具の先端部分の側面図である。刃物１１の形状は滑らかな円弧状であり、のこぎり刃１３を有している。のこぎり刃１３は刃元部分において細かく、刃先部分に行くに従い大きくなっている。被切断物支持具１２は、ねじ１５により刃物１１に取り付けられており、刃物１１の両側において着脱可能である。被切断物支持具１２は、刃物１１に沿って滑らかに湾曲した丸棒であり、当該刃物１１の刃渡りと同様の長さとなっている。柄着脱部１４は柄を装着するためのものである。
【００３３】
図３は本発明の実施例である草木刈り取り具の斜視図である。柄３１は、本発明に係る草木刈り取り具の使用時のひねりを有効かつ楽に行えるように、着脱可能で取り付け位置も任意に選択できるハンドル部３２を備えた高所作業用の伸縮自在棒である。ハンドル部３２により楽にひねりを加えることが出来ると共に、引き切りの際にも楽に作業を行うことが出来る。柄３１は、着脱可能であるので、手元作業用の短い柄６１や、高所作業用と手元作業用の中間の長さの柄６２などと、作業に合わせて交換可能である。
【００３４】
図４は図２のＡ―Ａ線断面図である。当該草木刈り取り具の柄を持ってひねられることにより、刃物１１は被切断物４１に押し付けられ、被切断物と刃物の接触部分４２に圧力が生じ、これにより刃物１１の切断力が有効に発揮されるのである。ここで、被切断物４１の場合は、刃物１１が直角に近い角度で当っており、良好な切断が行えるが、被切断物４１に比べて太さが太い被切断物４１ａの場合は被切断物４１ａに対する刃物１１の角度が浅くなり、良好な切断作業には適さなくなる。このように、刃物１１に対する被切断物支持具１２の変位により、良好に切断作業を行える被切断物の太さの範囲が定まることになる。従って、被切断物の太さに応じた各被切断物支持具１２ａ・１２ｂなどの種類を用意し、これを取り替え可能にすることによって、太さの異なる被切断物に対しても良好な切断作業が行えるようにするものである。
【００３５】
図５は被切断物の太さに応じて交換するための各被切断物支持具１２・１２ａ・１２ｂ・１２ｃの側面図であり、被切断物挿入部分の幅がそれぞれ異なる。
【００３６】
図６は刈り取り作業に応じて交換するための各柄の側面図である。柄３１は高所作業用の伸縮自在の柄であり、柄６１は手元作業用の短い柄、柄６２は前二者の中間の長さのものである。ハンドル部３２は着脱可能であるので、柄６１又は柄６２に対しても着脱が可能である。
【００３７】
図７は本発明に係る草木刈り取り具の実施例の使用状態を示す斜視図である。柄３１を持ってひねりつつ手前に引くことで、高所にあり、なお且つ柔軟性のある枝であっても、きわめて容易に切断することができる。
【実施例２】
【００３８】
図８は本発明の別の実施例である草木刈り取り具の先端部分の平面図であり、図９は当該草木刈り取り具の先端部分の側面図、図１０は当該草木刈り取り具の斜視図である。刃物８１の形状は滑らかな円弧状であり、被切断物支持具８２は、溶接により、刃物８１に刃物８１を含む平面と一定角度を有するように固着されている。被切断物支持具８２は、刃物８１に沿って滑らかに湾曲した丸棒であり、当該刃物８１の刃渡りと同様の長さとなっている。柄着脱部８４は柄を装着するためのものであり、作業に合わせて異なる柄に交換可能である。
【００３９】
上記のごとくに構成された草木刈り取り具は、草刈に特に有効である。雑草などは特に柔軟性があるため、小さな隙間があるだけで刃物の当該雑草に対する圧力が有効に発生しない場合があり、従って、特定の被切断物挿入部分２１の間隔に対して、良好な切断力が発揮され得る被切断物の太さの自由度は極めて狭い。そのうえ、除草作業時に一度に刈る草の量は一定でなく、従って、被切断物たる草の束の太さもまちまちである。このような条件に対して、被切断物挿入部分２１の間隔が一定であると、良好な切断力を得るためには、当該被切断物挿入部分２１の間隔に対して適当な太さとなる草の束を的確に当該被切断物挿入部分２１に挿入する必要があり、煩雑である。本実施例による構成の草木刈り取り具によれば、被切断物挿入部分１０１の間隔は刃先部において最大で、刃元部にいくに従い狭くなるため、刃先部における最大幅以下の任意の太さの雑草に対し有効に使用することができるのである。
【実施例３】
【００４０】
図１１は本発明の別の実施例である草木刈り取り具の先端部分の平面図であり、図１２は当該草木刈り取り具の先端部分の側面図、図１３は当該草木刈り取り具の斜視図である。図１４は、図１２のＢ―Ｂ線断面図である。刃物１１１は両刃ののこぎりである。被切断物支持具１１２は、先端部分１１３がカギ状となっており、かつ、取り付け角度の調節が可能となっている。さらに、被切断物支持具１１２の断面先端部１４１はくさび形になっている。柄着脱部１１４は柄を装着するためのものであり、作業に合わせて異なる柄に交換可能である。
【００４１】
前記構成の草木刈り取り具は刃物がのこぎりであり、切断作業においては、当該草木刈り取り具を往復運動させることとなる。従って、切断作業中に被切断物が被切断物挿入部分１３１から外れてしまうと、作業効率が悪くなってしまう。そこで、被切断物支持具１１２の先端部分１１３をカギ状とすることにより、切断作業時に被切断物が被切断物挿入部分１３１から外れることを防止するものである。
【００４２】
被切断物支持具１１２と被切断物との接触部分は、当該草木刈り取り具の往復運動方向には滑りやすく、これ以外の方向には滑りにくいことが有効である。従って、前記構成の草木刈り取り具の被切断物支持具１１２は、被切断物に接触する断面先端部１４１が鋭利なくさび型形状となっている。このような形状にすることにより、切断作業開始時の被切断物に引き溝が無い状態での横滑り（被切断物の軸方向）を減少させるものである。
【実施例４】
【００４３】
図１５は本発明の別の実施例である草木刈り取り具の平面図であり、図１６は当該草木刈り取り具の側面図、図１７は当該草木刈り取り具の斜視図である。刃物１５１の形状は直線状であり、のこぎり刃１５２を有している。のこぎり刃１５２は刃元部分において細かく、刃先部分に行くに従い大きくなっている。被切断物支持具１５３は、柄１５４に取り付けられており着脱可能である。柄着脱部１７１は柄を装着するためのものであり、作業に合わせて異なる柄に交換可能である。
【００４４】
前記構成の柄部分に着脱可能な被切断物支持具１５３によれば、従来存在する高枝切り具などにも被切断物支持具１５３を装着することが可能であり、汎用性が高い。
【実施例５】
【００４５】
図１８は本発明の別の実施例である草木刈り取り具の先端部分の平面図であり、図１９は当該草木刈り取り具の先端部分の側面図、図２０は当該草木刈り取り具の斜視図である。刃物１８１の形状は滑らかな円弧状であり、のこぎり刃１８３を有している。のこぎり刃１８３は当該草木刈り取り具を押すときに切れる向きで構成されており、刃先部分において細かく、刃元部分に行くに従い大きくなっている。被切断物支持具１８２は、刃物１８１に沿って滑らかに湾曲した丸棒であり、刃物１８１の先端部分に取り付けられている。柄着脱部２０１は柄を装着するためのものであり、作業に合わせて異なる柄に交換可能である。
【００４６】
前記構成の草木刈り取り具によれば、当該草木刈り取り具を押し出すときに切断力が生まれ、引くときには切断力が生まれない。
【実施例６】
【００４７】
図２１は本発明の別の実施例である草木刈り取り具の先端部分の平面図であり、図２２は当該草木刈り取り具の先端部分の側面図、図２３は当該草木刈り取り具の斜視図である。図２４は、図２２のＣ―Ｃ線断面図である。刃物２１１は両刃ののこぎりであり、のこぎり刃２１２は当該草木刈り取り具を引くときに切れる向きに構成されており、のこぎり刃２１３は当該草木刈り取り具を押すときに切れる向きで構成されている。被切断物支持具２１４・被切断物支持具２１５は共に、断面先端部２４１・２４２がくさび形になっており、かつ、先端部分２１６・２１７がカギ状となっている。被切断物支持具２１４は、刃物２１１の刃元部分に取り付けられており、被切断物支持具２１５は、刃物２１１の先端部分に取り付けられている。柄着脱部２３１は柄を装着するためのものであり、作業に合わせて異なる柄に交換可能である。
【００４８】
前記構成の草木刈り取り具によれば、当該草木刈り取り具を引くときに切断力が生まれるものと、当該草木刈り取り具を押し出すときに切断力が生まれるものの双方の機能を有する。
【実施例７】
【００４９】
図２５は本発明の別の実施例である草木刈り取り具の先端部分の平面図であり、図２６は当該草木刈り取り具の先端部分の側面図、図２７は当該草木刈り取り具の斜視図である。刃物２５１・刃物２５２の形状は直線状であり、それぞれのこぎり刃２５３・のこぎり刃２５４を有しており、かつ、のこぎり刃２５３の刃物を含む平面とのこぎり刃２５４の刃物を含む平面とが直交するように構成されている。柄着脱部２７１は柄を装着するためのものであり、作業に合わせて異なる柄に交換可能である。収納用フック２５５はねじ２５６により柄に取り付けられている。
【００５０】
前記構成の草木刈り取り具では、切断作業時に、被切断物の両側から切断力が発揮され、被切断物を切断することとなる。収納用フック２５５は、当該草木刈り取り具の収納時の便を図るためのものである。
【実施例８】
【００５１】
図２８は本発明の別の実施例である草木刈り取り具の先端部分の平面図であり、図２９は当該草木刈り取り具の先端部分の側面図、図３０は当該草木刈り取り具の斜視図である。刃物２８１の形状は滑らかな円弧状であり、のこぎり刃２８３を有している。のこぎり刃２８３は刃元部分において細かく、刃先部分に行くに従い大きくなっている。被切断物支持具２８２は、ねじ２８５により刃物２８１に取り付けられており、刃物２８１の両側において着脱可能である。被切断物支持具２８２は、刃物２８１に沿って滑らかに湾曲した丸棒であり、当該刃物２８１の刃渡りと同様の長さとなっている。落下物受けとり具２８６・２８７はねじ２８９により刃物２８１に取り付けられており、刃物２８１の両側において着脱可能である。柄着脱部２８４は柄を装着するためのものであり、作業に合わせて異なる柄に交換可能である。
【００５２】
前記構成における落下物受けとり具２８６・２８７は、枝などを切断する作業によって切断されたものを、これに引っかけて受け止めることで、当該切断された枝などが、地上に落下することを防ぐものである。
【図面の簡単な説明】
【００５３】
【図１】本発明の実施例の草木刈り取り具の先端部分の平面図。
【図２】本発明の実施例の草木刈り取り具の先端部分の側面図。
【図３】本発明の実施例の草木刈り取り具の斜視図。
【図４】図２のＡ―Ａ線断面図。
【図５】交換用被切断物支持具の側面図。
【図６】交換用の柄の側面図。
【図７】本発明の実施例の草木刈り取り具の使用状態を示す斜視図。
【図８】実施例２の草木刈り取り具の先端部分の平面図。
【図９】実施例２の草木刈り取り具の先端部分の側面図。
【図１０】実施例２の草木刈り取り具の斜視図。
【図１１】実施例３の草木刈り取り具の先端部分の平面図。
【図１２】実施例３の草木刈り取り具の先端部分の側面図。
【図１３】実施例３の草木刈り取り具の斜視図。
【図１４】図１２のＢ―Ｂ線断面図。
【図１５】実施例４の草木刈り取り具の先端部分の平面図。
【図１６】実施例４の草木刈り取り具の先端部分の側面図。
【図１７】実施例４の草木刈り取り具の斜視図。
【図１８】実施例５の草木刈り取り具の先端部分の平面図。
【図１９】実施例５の草木刈り取り具の先端部分の側面図。
【図２０】実施例５の草木刈り取り具の斜視図。
【図２１】実施例６の草木刈り取り具の先端部分の平面図。
【図２２】実施例６の草木刈り取り具の先端部分の側面図。
【図２３】実施例６の草木刈り取り具の斜視図。
【図２４】図２２のＣ―Ｃ線断面図。
【図２５】実施例７の草木刈り取り具の先端部分の平面図。
【図２６】実施例７の草木刈り取り具の先端部分の側面図。
【図２７】実施例７の草木刈り取り具の斜視図。
【図２８】実施例８の草木刈り取り具の先端部分の平面図。
【図２９】実施例８の草木刈り取り具の先端部分の側面図。
【図３０】実施例８の草木刈り取り具の斜視図。
【符号の説明】
【００５４】
１１    刃物
１２    被切断物支持具
１３    のこぎり刃
１４    柄着脱部
２１    被切断物挿入部分
３１    柄
３２    ハンドル部
４１    被切断物
４２    被切断物と刃物の接触部分
１０１  被切断物挿入部分
１１３  被切断物支持具先端部分
１４１  被切断物支持具断面先端部
１５３  被切断物支持具
２５５  収納用フック
２８６  落下物受けとり具
【図１】
2005151820.tif 000003
【図２】
2005151820.tif 000004
【図３】
2005151820.tif 000005
【図４】
2005151820.tif 000006
【図５】
2005151820.tif 000007
【図６】
2005151820.tif 000008
【図７】
2005151820.tif 000009
【図８】
2005151820.tif 000010
【図９】
2005151820.tif 000011
【図１０】
2005151820.tif 000012
【図１１】
2005151820.tif 000013
【図１２】
2005151820.tif 000014
【図１３】
2005151820.tif 000015
【図１４】
2005151820.tif 000016
【図１５】
2005151820.tif 000017
【図１６】
2005151820.tif 000018
【図１７】
2005151820.tif 000019
【図１８】
2005151820.tif 000020
【図１９】
2005151820.tif 000021
【図２０】
2005151820.tif 000022
【図２１】
2005151820.tif 000023
【図２２】
2005151820.tif 000024
【図２３】
2005151820.tif 000025
【図２４】
2005151820.tif 000026
【図２５】
2005151820.tif 000027
【図２６】
2005151820.tif 000028
【図２７】
2005151820.tif 000029
【図２８】
2005151820.tif 000030
【図２９】
2005151820.tif 000031
【図３０】
2005151820.tif 000032